(57)【要約】      （修正有）【課題】  煩わしい作業を行うことなくサムネイル画像の一覧の背景に特定の背景画像を表示できるようにする。【解決手段】  サムネイル画像一覧表示フィールド２１Ｂにユーザが選択したフォルダに保存されている画像データのサムネイル画像の一覧を表示する。その際に、サムネイル画像に対応する画像データに付与された撮影日情報を参照して、撮影年月に関連づけられた背景画像をサムネイル画像一覧表示フィールド２１Ｂの背景に表示する。これにより、煩わしい作業なしに、表示されているサムネイル画像一覧の内容を知ることが背景画像を表示できる。【選択図】          図５
2005340999.tif 000002
【特許請求の範囲】
【請求項１】
撮影年月を表す撮影日情報が付与された複数の画像を、所定の表示領域に時系列順に一覧表示する画像表示装置において、
各種撮影年月と関連づけられた、前記所定の表示領域の背景に表示するための複数の背景画像を保存する保存手段と、
前記所定の表示領域に表示される画像に付与された撮影日情報により表される撮影年月と関連づけられた背景画像を前記複数の背景画像から選択し、該選択された背景画像を前記所定の表示領域の背景に表示する表示制御手段とを備えたことを特徴とする画像表示装置。
【請求項２】
前記表示制御手段は、前記所定の表示領域に表示される画像に付与された撮影日情報により表される撮影年月が複数の年月にまたがる場合には、それぞれの撮影年月と関連づけられた複数の背景画像を選択し、該選択された複数の背景画像を重ね合わせて前記所定の表示領域の背景に表示する手段であることを特徴とする請求項１記載の画像表示装置。
【請求項３】
撮影年月を表す撮影日情報が付与された複数の画像を、所定の表示領域に時系列順に一覧表示する画像表示装置において、
各種撮影年月と関連づけられた複数のＢＧＭを保存する保存手段と、
前記所定の表示領域に表示される画像に付与された撮影日情報により表される撮影年月と関連づけられたＢＧＭを前記複数のＢＧＭから選択し、該選択されたＢＧＭを再生するＢＧＭ再生手段とを備えたことを特徴とする画像表示装置。
【請求項４】
前記ＢＧＭ再生手段は、前記所定の表示領域に表示される画像に付与された撮影日情報により表される撮影年月が複数の年月にまたがる場合には、それぞれの撮影年月と関連づけられた複数のＢＧＭを選択し、該選択された複数のＢＧＭを重ね合わせて再生する手段であることを特徴とする請求項３記載の画像表示装置。
【請求項５】
撮影年月を表す撮影日情報が付与されたデジタル映像を選択して再生するためのメニュー画面を編集するオーサリング装置において、
各種撮影年月と関連づけられた、前記所定の表示領域の背景に表示するための複数の背景画像を保存する保存手段と、
前記デジタル映像に付与された撮影日情報により表される撮影年月と関連づけられた背景画像を前記複数の背景画像から選択し、該選択された背景画像を前記メニュー画面の背景に表示するよう前記メニュー画面を生成するメニュー画面生成手段とを備えたことを特徴とするオーサリング装置。
【請求項６】
撮影年月を表す撮影日情報が付与されたデジタル映像を選択して再生するためのメニュー画面を編集するオーサリング装置において、
各種撮影年月と関連づけられた、複数のＢＧＭを保存する保存手段と、
前記デジタル映像に付与された撮影日情報により表される撮影年月と関連づけられたＢＧＭを前記複数のＢＧＭから選択し、該選択されたＢＧＭを前記メニュー画面のＢＧＭとして再生するよう前記メニュー画面を生成するメニュー画面生成手段とを備えたことを特徴とするオーサリング装置。
【請求項７】
撮影年月を表す撮影日情報が付与された複数の画像を、所定の表示領域に時系列順に一覧表示する画像表示方法において、
前記所定の表示領域に表示される画像に付与された撮影日情報により表される撮影年月と関連づけられた背景画像を、各種撮影年月と関連づけられた、前記所定の表示領域の背景に表示するための複数の背景画像から選択し、該選択された背景画像を前記所定の表示領域の背景に表示することを特徴とする画像表示方法。
【請求項８】
撮影年月を表す撮影日情報が付与された複数の画像を、所定の表示領域に時系列順に一覧表示する画像表示方法において、
前記所定の表示領域に表示される画像に付与された撮影日情報により表される撮影年月と関連づけられたＢＧＭを、各種撮影年月と関連づけられた複数のＢＧＭから選択し、該選択されたＢＧＭを再生することを特徴とする画像表示方法。
【請求項９】
撮影年月を表す撮影日情報が付与されたデジタル映像を選択して再生するためのメニュー画面を編集するオーサリング方法において、
前記デジタル映像に付与された撮影日情報により表される撮影年月と関連づけられた背景画像を、各種撮影年月と関連づけられた、前記所定の表示領域の背景に表示するための複数の背景画像から選択し、該選択された背景画像を前記メニュー画面の背景に表示するよう前記メニュー画面を生成することを特徴とするオーサリング方法。
【請求項１０】
撮影年月を表す撮影日情報が付与されたデジタル映像を選択して再生するためのメニュー画面を編集するオーサリング方法において、
前記デジタル映像に付与された撮影日情報により表される撮影年月と関連づけられたＢＧＭを、各種撮影年月と関連づけられた複数のＢＧＭから選択し、該選択されたＢＧＭを前記メニュー画面のＢＧＭとして再生するよう前記メニュー画面を生成することを特徴とするオーサリング方法。
【請求項１１】
撮影年月を表す撮影日情報が付与された複数の画像を、所定の表示領域に時系列順に一覧表示する画像表示方法をコンピュータに実行させるためのプログラムにおいて、
前記所定の表示領域に表示される画像に付与された撮影日情報により表される撮影年月と関連づけられた背景画像を、各種撮影年月と関連づけられた、前記所定の表示領域の背景に表示するための複数の背景画像から選択し、該選択された背景画像を前記所定の表示領域の背景に表示する手順を有することを特徴とするプログラム。
【請求項１２】
撮影年月を表す撮影日情報が付与された複数の画像を、所定の表示領域に時系列順に一覧表示する画像表示方法をコンピュータに実行させるためのプログラムにおいて、
前記所定の表示領域に表示される画像に付与された撮影日情報により表される撮影年月と関連づけられたＢＧＭを各種撮影年月と関連づけられた複数のＢＧＭから選択し、該選択されたＢＧＭを再生する手順を有することを特徴とするプログラム。
【請求項１３】
撮影年月を表す撮影日情報が付与されたデジタル映像を選択して再生するためのメニュー画面を編集するオーサリング方法をコンピュータに実行させるためのプログラムにおいて、
前記デジタル映像に付与された撮影日情報により表される撮影年月と関連づけられた背景画像を、各種撮影年月と関連づけられた、前記所定の表示領域の背景に表示するための複数の背景画像から選択し、該選択された背景画像を前記メニュー画面の背景に表示するよう前記メニュー画面を生成する手順を有することを特徴とするプログラム。
【請求項１４】
撮影年月を表す撮影日情報が付与されたデジタル映像を選択して再生するためのメニュー画面を編集するオーサリング方法をコンピュータに実行させるためのプログラムにおいて、
前記デジタル映像に付与された撮影日情報により表される撮影年月と関連づけられたＢＧＭを、各種撮影年月と関連づけられた複数のＢＧＭから選択し、該選択されたＢＧＭを前記メニュー画面のＢＧＭとして再生するよう前記メニュー画面を生成する手順を有することを特徴とするプログラム。
【発明の詳細な説明】
【技術分野】
【０００１】
本発明は、例えばサムネイル画像のような画像を時系列順にソートして一覧表示する画像表示装置および方法、スライドショー等のデジタル映像を再生するためにデジタル映像を選択するためのメニュー画面を生成するオーサリング装置および方法、並びに画像表示方法およびオーサリング方法をコンピュータに実行させるためのプログラムに関するものである。
【背景技術】
【０００２】
画像ビューアを用いることにより、画像を縮小したサムネイル画像の一覧画面を画像ビューアに表示し、そこから所望とするサムネイル画像を選択し、選択したサムネイル画像を拡大表示したり、選択したサムネイル画像に対応する画像のプリント注文を行うことができる。このような画像ビューアにおいて、特定のフォルダに背景画像を設定することにより、そのフォルダを開いてサムネイル画像の一覧を表示した際に、背景にユーザが設定した背景画像が表示されるものが知られている。このように、背景画像を設定することにより、背景画像とフォルダに保存された画像との意味を関連づけることができるため、フォルダを開いて背景画像を見れば、そのフォルダにどのような画像が保存されているかを容易に把握できる。
【０００３】
また、画像を所定のキーワードにより検索した際に、検索キーワードと関連づけられた背景画像を検索された画像のサムネイル画像の一覧の背景に表示することにより、どのような画像が検索されたかを容易に把握できるようにしたシステムが提案されてる（特許文献１参照）。
【特許文献１】特開平８−２３４９５６号公報
【発明の開示】
【発明が解決しようとする課題】
【０００４】
一方、デジタルカメラにより取得された画像には撮影年月日を表す撮影日情報が付与されているため、ビューアアプリケーションにおいてサムネイル画像の一覧を時系列順に並べて表示することが可能である。このような場合にも、サムネイル画像の一覧の背景に背景画像を設定することにより、フォルダを開いてサムネイル画像の一覧を表示した瞬間に、その一覧にどのような画像が含まれているかを容易に把握できることとなる。
【０００５】
しかしながら、フォルダ毎に背景画像を設定する作業は非常に面倒である。上記特許文献１に記載されたシステムにおいては、設定する作業を行わなくても背景画像を表示することができるが、検索を行う必要があるため、単に画像の一覧を表示するのみでは画像の一覧に背景画像を表示することができない。
【０００６】
本発明は、上記事情に鑑みなされたものであり、煩わしい作業を行うことなく画像の一覧に背景画像を表示できるようにすることを第１の目的とする。
【０００７】
また、本発明は、煩わしい作業を行うことなく画像の一覧を表示した際にＢＧＭを再生できるようにすることを第２の目的とする。
【課題を解決するための手段】
【０００８】
本発明による第１の画像表示装置は、撮影年月を表す撮影日情報が付与された複数の画像を、所定の表示領域に時系列順に一覧表示する画像表示装置において、
各種撮影年月と関連づけられた、前記所定の表示領域の背景に表示するための複数の背景画像を保存する保存手段と、
前記所定の表示領域に表示される画像に付与された撮影日情報により表される撮影年月と関連づけられた背景画像を前記複数の背景画像から選択し、該選択された背景画像を前記所定の表示領域の背景に表示する表示制御手段とを備えたことを特徴とするものである。
【０００９】
「各種撮影年月と関連づけられた、前記所定の表示領域の背景に表示するための複数の背景画像」とは、撮影年月の季節感を特徴づけることが可能な画像であり、月毎、春夏秋冬の季節毎に特有の画像を用いることができる。また、オリンピックやサッカーのワールドカップが開催される特定の年については年に特有の画像を背景画像として用いることができる。
【００１０】
なお、本発明による第１の画像表示装置においては、前記表示制御手段を、前記所定の表示領域に表示される画像に付与された撮影日情報により表される撮影年月が複数の年月にまたがる場合には、それぞれの撮影年月と関連づけられた複数の背景画像を選択し、該選択された複数の背景画像を重ね合わせて前記所定の表示領域の背景に表示する手段としてもよい。
【００１１】
本発明による第２の画像表示装置は、撮影年月を表す撮影日情報が付与された複数の画像を、所定の表示領域に時系列順に一覧表示する画像表示装置において、
各種撮影年月と関連づけられた複数のＢＧＭを保存する保存手段と、
前記所定の表示領域に表示される画像に付与された撮影日情報により表される撮影年月と関連づけられたＢＧＭを前記複数のＢＧＭから選択し、該選択されたＢＧＭを再生するＢＧＭ再生手段とを備えたことを特徴とするものである。
【００１２】
「各種撮影年月と関連づけられた複数のＢＧＭ」とは、撮影年月の季節感を特徴づけることが可能なＢＧＭであり、月毎、春夏秋冬の季節毎に特有の音楽を用いることができる。
【００１３】
なお、本発明による第２の画像表示装置においては、前記ＢＧＭ再生手段を、前記所定の表示領域に表示される画像に付与された撮影日情報により表される撮影年月が複数の年月にまたがる場合には、それぞれの撮影年月と関連づけられた複数のＢＧＭを選択し、該選択された複数のＢＧＭを重ね合わせて再生する手段としてもよい。
【００１４】
本発明による第１のオーサリング装置は、撮影年月を表す撮影日情報が付与されたデジタル映像を選択して再生するためのメニュー画面を編集するオーサリング装置において、
各種撮影年月と関連づけられた、前記所定の表示領域の背景に表示するための複数の背景画像を保存する保存手段と、
前記デジタル映像に付与された撮影日情報により表される撮影年月と関連づけられた背景画像を前記複数の背景画像から選択し、該選択された背景画像を前記メニュー画面の背景に表示するよう前記メニュー画面を生成するメニュー画面生成手段とを備えたことを特徴とするものである。
【００１５】
本発明による第２のオーサリング装置は、撮影年月を表す撮影日情報が付与されたデジタル映像を選択して再生するためのメニュー画面を編集するオーサリング装置において、
各種撮影年月と関連づけられた、複数のＢＧＭを保存する保存手段と、
前記デジタル映像に付与された撮影日情報により表される撮影年月と関連づけられたＢＧＭを前記複数のＢＧＭから選択し、該選択されたＢＧＭを前記メニュー画面のＢＧＭとして再生するよう前記メニュー画面を生成するメニュー画面生成手段とを備えたことを特徴とするものである。
【００１６】
「デジタル映像」とは、複数の静止画像を切り替えて表示するスライドショー形式の画像、動画像、静止画像と動画像とを混在させて切り替えて表示するスライドショー形式の画像等、動的に画像を再生可能な映像を意味する。
【００１７】
本発明による第１の画像表示方法は、撮影年月を表す撮影日情報が付与された複数の画像を、所定の表示領域に時系列順に一覧表示する画像表示方法において、
前記所定の表示領域に表示される画像に付与された撮影日情報により表される撮影年月と関連づけられた背景画像を、各種撮影年月と関連づけられた、前記所定の表示領域の背景に表示するための複数の背景画像から選択し、該選択された背景画像を前記所定の表示領域の背景に表示することを特徴とするものである。
【００１８】
本発明による第２の画像表示方法は、撮影年月を表す撮影日情報が付与された複数の画像を、所定の表示領域に時系列順に一覧表示する画像表示方法において、
前記所定の表示領域に表示される画像に付与された撮影日情報により表される撮影年月と関連づけられたＢＧＭを、各種撮影年月と関連づけられた複数のＢＧＭから選択し、該選択されたＢＧＭを再生することを特徴とするものである。
【００１９】
本発明による第１のオーサリング方法は、撮影年月を表す撮影日情報が付与されたデジタル映像を選択して再生するためのメニュー画面を編集するオーサリング方法において、
前記デジタル映像に付与された撮影日情報により表される撮影年月と関連づけられた背景画像を、各種撮影年月と関連づけられた、前記所定の表示領域の背景に表示するための複数の背景画像から選択し、該選択された背景画像を前記メニュー画面の背景に表示するよう前記メニュー画面を生成することを特徴とするものである。
【００２０】
本発明による第２のオーサリング方法は、撮影年月を表す撮影日情報が付与されたデジタル映像を選択して再生するためのメニュー画面を編集するオーサリング方法において、
前記デジタル映像に付与された撮影日情報により表される撮影年月と関連づけられたＢＧＭを、各種撮影年月と関連づけられた複数のＢＧＭから選択し、該選択されたＢＧＭを前記メニュー画面のＢＧＭとして再生するよう前記メニュー画面を生成することを特徴とするものである。
【００２１】
なお、本発明による第１および第２の画像表示方法並びに本発明による第１および第２のオーサリング方法をコンピュータに実行させるためのプログラムとして提供してもよい。
【発明の効果】
【００２２】
本発明の第１の画像表示装置および方法によれば、所定の表示領域に表示される画像に付与された撮影日情報により表される撮影年月と関連づけられた背景画像が複数の背景画像から選択され、選択された背景画像が所定の表示領域の背景に表示される。このため、背景画像を設定する作業を行わなくても、撮影年月に応じた季節感のある背景画像を画像の一覧の背景に表示することができ、これにより、画像の一覧を表示するのみで、一覧に含まれる画像がどの時期に撮影されたものであるかを知ることができる。
【００２３】
また、所定の表示領域に表示される画像に付与された撮影日情報により表される撮影年月が複数の年月にまたがる場合には、複数の年月のそれぞれと関連づけられた複数の背景画像を選択し、選択した複数の背景画像を重ね合わせて表示することにより、所定の表示領域に表示される画像に付与された撮影日情報により表される撮影年月が複数の年月にまたがる場合であっても、所定の表示領域に表示される画像の一覧に含まれる画像がどの時期に撮影されたものであるかを知ることができる。
【００２４】
本発明の第２の画像表示装置および方法によれば、所定の表示領域に表示される画像に付与された撮影日情報により表される撮影年月と関連づけられたＢＧＭが複数のＢＧＭから選択され、選択されたＢＧＭが再生される。このため、画像の一覧に含まれる画像の撮影年月に応じた季節感のあるＢＧＭを再生することができ、これにより、画像の一覧を表示するのみで、一覧に含まれる画像がどの時期に撮影されたものであるかを知ることができる。
【００２５】
また、所定の表示領域に表示される画像に付与された撮影日情報により表される撮影年月が複数の年月にまたがる場合には、複数の年月のそれぞれと関連づけられた複数のＢＧＭを選択し、選択したＢＧＭを重ね合わせて再生することにより、所定の表示領域に表示される画像に付与された撮影日情報により表される撮影年月が複数の年月にまたがる場合であっても、所定の表示領域に表示される画像の一覧に含まれる画像がどの時期に撮影されたものであるかを知ることができる。
【００２６】
本発明の第１のオーサリング装置および方法によれば、デジタル映像に付与された撮影日情報により表される撮影年月と関連づけられた背景画像が複数の背景画像から選択され、選択された背景画像がメニュー画面の背景として表示されるようメニュー画面が生成される。このため、背景画像を設定する作業を行わなくても、撮影年月に応じた季節感のある背景画像をメニュー画面の背景に表示することができ、これにより、メニュー画面を表示するのみで、メニュー画面から再生しようとするデジタル映像がどの時期に撮影されたものであるかを知ることができる。
【００２７】
本発明の第２のオーサリング装置および方法によれば、デジタル映像に付与された撮影日情報により表される撮影年月と関連づけられたＢＧＭが複数のＢＧＭから選択され、選択されたＢＧＭがメニュー画面のＢＧＭとして再生されるようメニュー画面が生成される。このため、ＢＧＭを設定する作業を行わなくても、撮影年月に応じた季節感のあるＢＧＭをメニュー画面のＢＧＭとして再生することができ、これにより、メニュー画面を表示するのみで、メニュー画面から再生しようとするデジタル映像がどの時期に撮影されたものであるかを知ることができる。
【発明を実施するための最良の形態】
【００２８】
以下、図面を参照して本発明の実施形態について説明する。図１は本発明の第１の実施形態による画像表示装置の構成を示す概略ブロック図である。図１に示すように第１の実施形態による画像表示装置は、各種表示を行うＣＲＴ、液晶モニタ等の表示部１と、キーボードおよびマウス等からなる入力部３と、画像データおよび各種情報を保存したハードディスク５と、本実施形態による画像表示装置の駆動を制御するＣＰＵ７と、ビューアプログラムを含む、本実施形態による画像表示装置を駆動する各種プログラムを記憶するとともに、プログラム実行時の作業領域となる記憶部９と、音声を出力するスピーカ１１とを備え、これらがバス１３により接続されている。
【００２９】
そして、ＣＰＵ７がビューアプログラムを実行することにより、表示制御手段およびＢＧＭ再生手段として機能する。
【００３０】
なお、ハードディスク５には、ユーザがデジタルカメラ等により取得した画像データが保存されている。また、ハードディスク５には、撮影日と関連づけられた、後述するサムネイル画像の一覧の背景画像を表す複数の背景画像データおよびサムネイル画像の一覧を表示した際に再生するＢＧＭを表す複数のＢＧＭデータが保存されている。また、撮影年月と背景画像データおよびＢＧＭデータのファイル名との関係を記述したテーブルも保存されている。
【００３１】
図２は撮影年月と背景画像データおよびＢＧＭデータのファイル名との関係を記述したテーブルを示す図である。図２に示すように、テーブルＴ０においては１９９８年１月、２月…の撮影年月と背景画像データおよびＢＧＭデータのファイル名とが対応付けられている。
【００３２】
ここで、背景画像データは、ハードディスク５のＣドライブにおけるＢＧＩフォルダに保存されており、年月に応じて1998_01.jpg，1998_02.jpg…2004_01.jpg…の年月に対応するファイル名が付与され、年月に関連づけられた画像を表すものとなっている。例えば、１月は正月の雰囲気を、２月は寒い雰囲気を表す背景画像となっている。また、２００４年８月はオリンピックの雰囲気を表す背景画像となっている。
【００３３】
また、ＢＧＭデータは、ハードディスク５のＣドライブにおけるＢＧＭフォルダに保存されており、年月に応じて1998_01.wav，1998_02.wav…2004_01.wav…のファイル名が付与され、年月に関連づけられたＢＧＭを表すものとなっている。例えば、１月は正月の雰囲気を、２月は寒い雰囲気を表す背景ＢＧＭとなっている。また、２００４年８月はオリンピックの雰囲気を表すＢＧＭとなっている。
【００３４】
そして、ＣＰＵ７はビューアプログラムを起動することにより、後述するように画像データのサムネイル画像の一覧を表示する際に、一覧に含められる画像データに付与された撮影日情報を参照し、撮影日情報により表される撮影年月と関連づけられた背景画像を一覧の背景に表示する。また、撮影日情報により表される撮影年月と関連づけられたＢＧＭを再生する。
【００３５】
なお、画像データの撮影年がテーブルＴ０に含まれていない場合には、図２に示すテーブルＴ０における年がDefaultの欄から撮影月が一致する背景画像が一覧の背景に表示され、撮影月が一致するＢＧＭが再生される。また、画像データの撮影年月が不明である場合には、図２に示すテーブルＴ０におけるUnknownの欄の背景画像が一覧の背景に表示され、Unknownの欄のＢＧＭが再生される。
【００３６】
次いで、第１の実施形態において行われる処理について説明する。図３は第１の実施形態において行われる処理を示すフローチャートである。ユーザが記憶部９に記憶されているビューアプログラムを起動することにより処理が開始され、ＣＰＵ７は表示部１にデフォルトの操作画面を表示する（ステップＳＴ１）。
【００３７】
図４はデフォルトの操作画面を示す図である。図４に示すようにデフォルトの操作画面２１には、ハードディスク５内のフォルダ構造を表示するフォルダ表示フィールド２１Ａ、およびフォルダ表示フィールド２１Ａにおいて選択されたフォルダ内の画像データのサムネイル画像の一覧を表示するサムネイル一覧表示フィールド２１Ｂが表示されている。
【００３８】
ＣＰＵ７は、ユーザがフォルダ表示フィールド２１Ａにおいてフォルダを選択したか否かの監視を開始し（ステップＳＴ２）、ステップＳＴ２が肯定されると、ユーザが選択したフォルダに保存されている画像データのサムネイル画像を生成するとともに、生成したサムネイル画像を撮影日が古い順にソートし、ソートしたサムネイル画像の一覧をサムネイル一覧表示フィールド２１Ｂに表示する（ステップＳＴ３）。
【００３９】
次いで、ＣＰＵ７は、サムネイル画像一覧表示フィールド２１Ｂに表示されるサムネイル画像に対応する画像データに付与された撮影日情報を参照して、１コマ目のサムネイル画像（すなわち撮影日が最も古いサムネイル画像）の撮影年月からテーブルＴ０を参照して、サムネイル画像の一覧に表示する背景画像データ（Ｈ０とする）およびＢＧＭとして再生するＢＧＭデータ（Ｂ０とする）を選択する（ステップＳＴ４）。
【００４０】
なお、１コマ目のサムネイル画像に対応する画像データの撮影年がテーブルＴ０に含まれていない場合には、図２に示すテーブルＴ０におけるDefaultの欄において月が一致する背景画像データおよびＢＧＭデータを背景画像データＨ０およびＢＧＭデータＢ０として選択する。また、１コマ目のサムネイル画像に対応する画像データの撮影年月が不明である場合には、図２に示すテーブルＴ０におけるUnknownの欄の背景画像データおよびＢＧＭデータを背景画像データＨ０およびＢＧＭデータＢ０として選択する。
【００４１】
さらに、ＣＰＵ７は、サムネイル画像一覧表示フィールド２１Ｂに表示するサムネイル画像に対応する画像データに付与された撮影日情報を参照して、サムネイル画像一覧表示フィールド２１Ｂに表示されている最終コマのサムネイル画像（すなわち、サムネイル画像一覧表示フィールド２１Ｂに表示されているサムネイル画像のうちの最も撮影日が新しいサムネイル画像）と１コマ目のサムネイル画像との撮影年月が一致するか否かを判定する（ステップＳＴ５）。
【００４２】
ステップＳＴ５が肯定されると、背景画像データＨ０により表される背景画像をサムネイル画像一覧表示フィールド２１Ｂの背景に表示し（ステップＳＴ６）、さらにＢＧＭデータＢ０を再生し（ステップＳＴ７）、リターンする。
【００４３】
図５はサムネイル画像一覧表示フィールド２１Ｂの背景に背景画像が表示された操作画面を示す図である。なお、ここではサムネイル画像一覧表示フィールド２１Ｂに表示されているすべてのサムネイル画像に対応する画像データの撮影年月が例えば２００４年１月であるものとする。図５に示すように、サムネイル画像一覧表示フィールド２１Ｂの背景には、１月の季節感を表す雪だるまの画像が表示されている。また、ＢＧＭとしては１月の季節感を表す「雪やこんこ」が再生される。また、サムネイル画像一覧表示フィールド２１Ｂに表示しきれないサムネイル画像を表示するためのスクロールバー２１Ｃも表示される。ユーザはスクロールバー２１Ｃを操作することにより、すべてのサムネイル画像をサムネイル画像一覧表示フィールド２１Ｂに表示することができる。
【００４４】
一方、ステップＳＴ５が否定されると、最終コマのサムネイル画像の撮影年月からテーブルＴ０を参照して、最終コマに対応する背景画像データ（Ｈ１とする）およびＢＧＭデータ（Ｂ１とする）を選択する（ステップＳＴ８）。
【００４５】
なお、最終コマのサムネイル画像に対応する画像データに撮影日情報が付与されていない場合には、図２に示すテーブルＴ０におけるDefaultの背景画像データおよびＢＧＭデータを背景画像データＨ１およびＢＧＭデータＢ１として選択する。また、最終コマのサムネイル画像に対応する画像データの撮影年月が不明である場合には、図２に示すテーブルＴ０におけるUnknownの欄の背景画像データおよびＢＧＭデータを背景画像データＨ１およびＢＧＭデータＢ１として選択する。
【００４６】
次いで、サムネイル画像一覧表示フィールド２１Ｂに表示されているすべてのサムネイル画像にそれぞれ対応する画像データに付与された撮影日情報を参照して、現在サムネイル画像一覧表示フィールド２１Ｂに表示されているサムネイル画像において、１コマ目のサムネイル画像と撮影年月が一致するサムネイル画像の数ａおよび最終コマのサムネイル画像と撮影年月が一致するサムネイル画像の数ｂを算出する（ステップＳＴ９）。そして、背景画像データＨ０により表される背景画像および背景画像データＨ１により表される背景画像の濃度がａ：ｂとなるように背景画像データＨ０および背景画像データＨ１を重み付け加算し、加算背景画像データＨ２を算出する（ステップＳＴ１０）。
【００４７】
また、ＢＧＭデータＢ０により表されるＢＧＭおよびＢＧＭデータＢ１により表されるＢＧＭの音量がａ：ｂとなるようにＢＧＭデータＢ０およびＢＧＭデータＢ１を重み付け加算し、加算ＢＧＭデータＢ２を算出する（ステップＳＴ１１）。
【００４８】
そして、加算背景画像データＨ２により表される加算背景画像をサムネイル画像一覧表示フィールド２１Ｂの背景に表示し（ステップＳＴ１２）、さらに加算ＢＧＭデータＢ２を再生し（ステップＳＴ１３）、リターンする。
【００４９】
ここで、１コマ目および最終コマのサムネイル画像に対応する画像データの撮影年月がそれぞれ１月および２月である場合、サムネイル画像一覧表示フィールド２１Ｂの背景には１月および２月それぞれの季節感を表す画像（例えば雪だるまと節分の画像）が、上記ａ：ｂの割合で重ね合わせられて表示される。また、ＢＧＭとしては１月の季節感を表すＢＧＭと２月の季節感を表すＢＧＭとが上記ａ：ｂの割合で混ざった音楽が再生される。
【００５０】
この状態において、ユーザがスクロールバー２１Ｃを操作し、サムネイル画像一覧表示フィールド２１Ｂに表示されたすべてのサムネイル画像に対応する画像データの撮影年月が２００４年２月になったとすると、サムネイル画像一覧表示フィールド２１Ｂの背景には２月の季節感を表す節分の画像のみが表示される。
【００５１】
このように第１の実施形態においては、サムネイル画像一覧表示フィールド２１Ｂに表示されるサムネイル画像に対応する画像データの撮影年月と関連づけられた背景画像を、サムネイル画像一覧表示フィールド２１Ｂの背景に表示し、さらには撮影年月と関連づけられたＢＧＭを再生するようにしたため、ユーザは背景画像やＢＧＭを設定する作業を行わなくても、撮影日に応じた季節感のある背景画像をサムネイル画像の一覧の背景に表示することができるとともに、季節感のあるＢＧＭを再生できる。したがって、サムネイル画像の一覧を表示するのみで、一覧に含まれる画像がどの時期に撮影されたものであるかを知ることができる。
【００５２】
また、サムネイル画像一覧表示フィールド２１Ｂに表示されるサムネイル画像に対応する画像データに付与された撮影日情報により表される撮影年月が複数の年月にまたがる場合には、複数の年月のそれぞれと関連づけられた背景画像を重ね合わせて表示し、さらには複数の年月のそれぞれと関連づけられたＢＧＭを重ねて再生することにより、サムネイル画像一覧表示フィールド２１Ｂに表示されるサムネイル画像に対応する画像データに付与された撮影日情報により表される撮影年月が複数の年月にまたがる場合であっても、サムネイル画像一覧表示フィールド２１Ｂに表示されるサムネイル画像の一覧に含まれる画像がどの時期に撮影されたものであるかを知ることができる。
【００５３】
次いで、本発明の第２の実施形態について説明する。図６は本発明の第２の実施形態によるオーサリング装置の構成を示す概略ブロック図である。図６に示すように第２の実施形態によるオーサリング装置は、各種表示を行うＣＲＴ、液晶モニタ等の表示部３１と、キーボードおよびマウス等からなる入力部３３と、画像データおよび各種情報を保存したハードディスク３５と、本実施形態によるオーサリング装置の駆動を制御するＣＰＵ３７と、オーサリングプログラムを含む、本実施形態によるオーサリング装置を駆動する各種プログラムを記憶するとともに、プログラム実行時の作業領域となる記憶部３９と、音声を出力するスピーカ４１とを備え、これらがバス４３により接続されている。
【００５４】
そして、ＣＰＵ３７がオーサリングプログラムを実行することにより、メニュー画面生成手段として機能する。
【００５５】
なお、ハードディスク３５には、スライドショー形式の画像データ、動画像データ等のデジタル映像データが保存されている。これらのデジタル映像データには、デジタル映像データに含まれる画像データや動画像データの撮影年月を表す撮影日情報が付与されている。また、ハードディスク３５には、上記第１の実施形態と同様に、撮影日と関連づけられた、後述するメニュー画面の背景画像を表す複数の背景画像データおよびサムネイル画像の一覧を表示した際に再生されるＢＧＭを表すＢＧＭデータが保存されている。また、撮影年月と背景画像データおよびＢＧＭデータのファイル名との関係を示すテーブルＴ０（図２参照）も保存されている。
【００５６】
そして、ＣＰＵ３７はオーサリングプログラムを起動することにより、後述するようにデジタル映像を選択するためのメニュー画面を生成する際に、メニュー画面に含めるデジタル映像データに付与された撮影日情報を参照し、撮影日情報により表される撮影年月と関連づけられた背景画像をメニュー画面に表示し、撮影日情報により表される撮影年月と関連づけられたＢＧＭをメニュー画面を表示した際に再生するよう、メニュー画面を生成する。
【００５７】
次いで、第２の実施形態において行われる処理について説明する。図７は第２の実施形態において行われる処理を示すフローチャートである。ユーザが記憶部３９に記憶されているオーサリングプログラムを起動することにより処理が開始され、ＣＰＵ３７は表示部３１にフォルダ選択画面を表示する（ステップＳＴ３１）。
【００５８】
図８はフォルダ選択画面を示す図である。図８に示すようにフォルダ選択画面３１には、デジタル映像データが保存された複数のフォルダが表示される。
【００５９】
ＣＰＵ３７は、フォルダ選択画面３１において、ユーザがオーサリングしたいフォルダを選択したか否かの監視を開始し（ステップＳＴ３２）、ステップＳＴ３２が肯定されると、ユーザが選択したフォルダに保存されているデジタル映像データを構成する複数の画像のうち、最初に再生される画像データのサムネイル画像を生成し（ステップＳＴ３３）、さらにデジタル映像データに付与された撮影日情報により表される撮影年月から、テーブルＴ０を参照して、メニュー画面の背景に表示する背景画像データ（Ｈ３とする）およびＢＧＭとして再生するＢＧＭデータ（Ｂ３とする）を選択する（ステップＳＴ３４）。
【００６０】
なお、最初の画像データの撮影年がテーブルＴ０に含まれていない場合には、図２に示すテーブルＴ０におけるDefaultの欄において月が一致する背景画像データおよびＢＧＭデータを背景画像データＨ３およびＢＧＭデータＢ３として選択する。また、最初の画像データの撮影年月が不明である場合には、図２に示すテーブルＴ０におけるUnknownの背景画像データおよびＢＧＭデータを背景画像データＨ３およびＢＧＭデータＢ３として選択する。
【００６１】
そして、ＣＰＵ３７は表示部３１にメニュー設定画面を表示する（ステップＳＴ３５）。図９はメニュー設定画面を示す図である。図９に示すようにメニュー設定画面３３には、ユーザが選択したフォルダに保存されているデジタル映像データのサムネイル画像３３Ａ，３３Ｂ（ここでは２つのデジタル映像データが保存されているものとする）および背景画像データＢ３により表される背景画像３３Ｃを含むメニュー画面３３Ｄ、デジタル映像データを再生して確認するための再生確認ボタン３３Ｅ、タイトルを入力するためのタイトル入力フィールド３３Ｆ、並びにメニュー画面３３Ｄの内容を決定するための決定ボタン３３Ｇが表示される。
【００６２】
メニュー設定画面３３において、ユーザは再生確認ボタン３３Ｅをクリックすることによりデジタル映像データの内容を確認できる。また、タイトル入力フィールド３３Ｆにユーザが所望とするタイトルを挿入することができる。
【００６３】
そして、ＣＰＵ３７はユーザにより決定ボタン３３Ｇがクリックされたか否かの監視を開始し（ステップＳＴ３６）、ステップＳＴ３６が肯定されるとメニュー画面を生成し（ステップＳＴ３７）、メニュー画面の生成処理を終了する。
【００６４】
このように生成されたメニュー画面を表示すると、その背景にはユーザが選択したフォルダに保存されているデジタル映像データの撮影年月に関連づけられた背景画像が表示され、撮影年月に関連づけられたＢＧＭが再生される。
【００６５】
このように、第２の実施形態においては、デジタル映像データに付与された撮影日情報により表される撮影年月と関連づけられた背景画像をメニュー画面の背景として表示し、デジタル映像データに付与された撮影日情報により表される撮影年月と関連づけられたＢＧＭをメニュー画面のＢＧＭとして再生するようメニュー画面を生成するようにしたため、背景画像およびＢＧＭを設定する作業を行わなくても、撮影年月に応じた季節感のある背景画像をメニュー画面の背景に表示することができるとともに、季節感のあるＢＧＭをメニュー画面の表示時に再生することができる。したがって、メニュー画面を表示するのみで、メニュー画面から再生しようとするデジタル映像データがどの時期に撮影されたものであるかを知ることができる。
【００６６】
なお、上記第１および第２の実施形態においては、背景画像およびＢＧＭの双方を選択しているが、いずれか一方のみを選択するようにしてもよい。
【図面の簡単な説明】
【００６７】
【図１】本発明の第１の実施形態による画像表示装置の構成を示す概略ブロック図
【図２】撮影年月と背景画像データおよびＢＧＭデータのファイル名との関係を記述したテーブルを示す図
【図３】第１の実施形態において行われる処理を示すフローチャート
【図４】デフォルトの操作画面を示す図
【図５】サムネイル画像一覧表示フィールドの背景に背景画像が表示された操作画面を示す図
【図６】本発明の第２の実施形態によるオーサリング装置の構成を示す概略ブロック図
【図７】第２の実施形態において行われる処理を示すフローチャート
【図８】フォルダ選択画面を示す図
【図９】メニュー設定画面を示す図
【符号の説明】
【００６８】
１，３１    表示部
３，３３    入力部
５，３５    ハードディスク
７，３７    ＣＰＵ
９，３９    記憶部
１１，４１    スピーカ
２１    操作画面
３１    フォルダ選択画面
３３    メニュー設定画面
【図１】
2005340999.tif 000003
【図２】
2005340999.tif 000004
【図３】
2005340999.tif 000005
【図４】
2005340999.tif 000006
【図５】
2005340999.tif 000007
【図６】
2005340999.tif 000008
【図７】
2005340999.tif 000009
【図８】
2005340999.tif 000010
【図９】
2005340999.tif 000011